【事件の表示】
　特許第４７１７７８３号に関する訂正審判事件について、次のとおり審決する。
【結　論】
　特許第４７１７７８３号に係る明細書を本件審判請求書に添付された訂正明細書のとおり訂正することを認める。
【理　由】
１．請求の要旨 
　本件審判の請求の要旨は、特許第４７１７７８３号の明細書を本件審判請求書に添付した訂正明細書のとおり訂正することを求めるものであり、その訂正内容は、次のとおりである。
　
＜訂正事項１＞ 
　願書に添付した明細書の段落【０００１】の「この発明は、演出時間が異なる複数の演出映像データを表示する遊技機、遊技演出方法および遊技演出プログラムに関する。」を、
「この発明は、
複数の演出の演出時間を利用して一つの遊技演出を表示することにより、演出時間長の長い演出を効率的に表示する遊技機に
＜訂正事項２＞ 
　願書に添付した明細書の段落【０００９】の「この発明は、上述した従来技術による問題点を解消するため、演出時間長の長い演出映像データを効率的に表示することができる遊技機、遊技演出方法および遊技演出プログラムを提供することを目的とする。」を、
「この発明は、上述した従来技術による問題点を解消するため、
複数の演出の演出時間を利用して一つの遊技演出を表示することにより、
出を
機を
＜訂正事項３＞ 
　願書に添付した明細書の段落【００１０】の「上述した課題を解決し、目的を達成するため、この発明にかかる遊技機は、大当たりの当選を検出する検出手段と、前記検出手段によって前記大当たりの当選が検出された場合、リーチ演出、オープニング演出および大当たり演出を順に切り替えて表示する通常パターン演出と、リーチ演出、オープニング演出および大当たり演出を切り替えて表示することなく一連の演出内容を有する特殊パターン演出のいずれかを選択する選択手段と、前記選択手段によって選択された前記通常パターン演出、あるいは前記特殊パターン演出を表示する表示画面を有する表示手段と、前記表示手段に前記通常パターン演出、あるいは前記特殊パターン演出のいずれかを表示させる表示制御手段と、を備えることを特徴とする。」を、
「上述した課題を解決し、目的を達成するため、
請求項１に記載
決定
決定
決定
に、複数のリーチ演出のうちいずれかを選択し、
、それぞれ別の演出内容として
所定の条件が満たされた場合に、リーチ演出として演出すべき内容の演出を、リーチ演出開始時から開始して大当たり確定後も継続して表示する
　
また、請求項２に記載の発明にかかる遊技機は、請求項１に記載の発明において、前記所定の条件とは、演出時間が最も長いリーチ演出を選択した場合であることを特徴とする。
　また、請求項３に記載の発明にかかる遊技機は、請求項１に記載の発明において、前記所定の条件とは、前記大当たりの連続当選回数が所定回数以上の場合であることを特徴とする。
＜訂正事項４＞ 
　願書に添付した明細書の段落【００１１】〜【００１８】を削除する。
＜訂正事項５＞ 
　願書に添付した明細書の段落【００１９】の「本発明にかかる遊技機、遊技演出方法および遊技演出プログラムによれば、演出時間長の長い演出映像データを効率的に表示することができるという効果を奏する。」を、
「本発明にかかる遊技
機に
複数の演出の演出時間を利用して一つの遊技演出を表示することにより、
出を
＜訂正事項６＞ 
　願書に添付した明細書の段落【０１２１】の「以上のように、本発明にかかる遊技機、遊技演出方法および遊技演出プログラムは、パチンコ遊技機、スロット遊技機、その他各種遊技機に有用であり、特に、パチンコホールやゲームセンター（プレイランド）、家庭用ゲーム機での設置、使用に適している。」を、
「以上のように、本発明にかかる遊技
機は
　　
２．当審の判断 
 ＜訂正事項１＞について 
　願書に添付した特許請求の範囲の請求項１〜３（以下、「請求項」については「願書に添付した特許請求の範囲の」は省略する。）に係る発明が、「遊技機」に関するものであって「遊技演出方法および遊技演出プログラム」に関するものではないこと、「リーチ演出、オープニング演出および大当たり演出を、それぞれ別の演出内容として順に切り替えて表示する通常パターン演出と、所定の条件が満たされた場合に、リーチ演出として演出すべき内容の演出を、リーチ演出開始時から開始して大当たり確定後も継続して表示する特殊パターン演出のいずれかを選択」して表示するものであることに対応して、訂正事項１は、願書に添付した明細書の段落【０００１】（【技術分野】）（以下、「段落」については「願書に添付した明細書の」は省略する。）の記載を請求項１〜３の記載に整合させて明確にしようとするものであり、明瞭でない記載の釈明を目的とするものである。
　また、訂正事項１は、明細書の段落【０００１】の記載を請求項１〜３の記載に整合させるものであり、請求項１〜３の内容を実質的に変更するものとは認められないから、実質上特許請求の範囲を拡張し、又は変更するものではない。
　更に、発明の構成として選択的に記載されていた「遊技演出方法および遊技演出プログラム」を削除するものであり、また、段落【００４４】には「複数の演出の演出時間を利用して一つの遊技演出を表示することにより、演出時間長の長い演出映像を効率的に表示することができる。」と記載されているから、訂正事項１は願書に添付した明細書、特許請求の範囲又は図面に記載した事項の範囲内においてしたものである。　
　
＜訂正事項２＞について
　請求項１〜３に係る発明が、「遊技機」に関するものであって「遊技演出方法および遊技演出プログラム」に関するものではないこと、「リーチ演出、オープニング演出および大当たり演出を、それぞれ別の演出内容として順に切り替えて表示する通常パターン演出と、所定の条件が満たされた場合に、リーチ演出として演出すべき内容の演出を、リーチ演出開始時から開始して大当たり確定後も継続して表示する特殊パターン演出のいずれかを選択」して表示するものであることに対応して、訂正事項２は、段落【０００９】（【発明が解決しようとする課題】）の記載を明確にしようとするものであり、明瞭でない記載の釈明を目的とするものである。
　また、訂正事項２は、段落【０００９】の記載を請求項１〜３の記載に整合させるものであり、請求項１〜３の内容を実質的に変更するものとは認められないから、実質上特許請求の範囲を拡張し、又は変更するものではない。
　更に、発明の構成として選択的に記載されていた「遊技演出方法および遊技演出プログラム」を削除するものであり、また、段落【００４４】には「複数の演出の演出時間を利用して一つの遊技演出を表示することにより、演出時間長の長い演出映像を効率的に表示することができる。」と記載されているから、訂正事項２は願書に添付した明細書、特許請求の範囲又は図面に記載した事項の範囲内においてしたものである。
　
＜訂正事項３＞について
　訂正事項３は、段落【００１０】（「課題を解決するための手段」）の記載を請求項１〜３の記載と一致させるものであるから、明瞭でない記載の釈明を目的とするものであって、請求項１〜３の内容を実質的に変更するものとは認められず、実質上特許請求の範囲を拡張し、又は変更するものではなく、願書に添付した明細書、特許請求の範囲又は図面に記載した事項の範囲内においてしたものである。
　
＜訂正事項４＞について 
　訂正事項４は、請求項１〜３の記載と整合させるため、段落【００１１】〜【００１８】を削除するものであるから、明瞭でない記載の釈明を目的とするものであって、請求項１〜３の内容を実質的に変更するものとは認められず、実質上特許請求の範囲を拡張し、又は変更するものではなく、願書に添付した明細書、特許請求の範囲又は図面に記載した事項の範囲内においてしたものである。
　
＜訂正事項５＞について
　請求項１〜３に係る発明が、「遊技機」に関するものであって「遊技演出方法および遊技演出プログラム」に関するものではないこと、「リーチ演出、オープニング演出および大当たり演出を、それぞれ別の演出内容として順に切り替えて表示する通常パターン演出と、所定の条件が満たされた場合に、リーチ演出として演出すべき内容の演出を、リーチ演出開始時から開始して大当たり確定後も継続して表示する特殊パターン演出のいずれかを選択」して表示するものであることに対応して、訂正事項５は、段落【００１９】（【発明の効果】）の記載を明確にしようとするものであり、明瞭でない記載の釈明を目的とするものである。
　また、訂正事項５は、段落【００１９】の記載を請求項１〜３の記載に整合させるものであり、請求項１〜３の内容を実質的に変更するものとは認められないから、実質上特許請求の範囲を拡張し、又は変更するものではない。
　更に、発明の構成として選択的に記載されていた「遊技演出方法および遊技演出プログラム」を削除するものであり、また、段落【００４４】には「複数の演出の演出時間を利用して一つの遊技演出を表示することにより、演出時間長の長い演出映像を効率的に表示することができる。」と記載されているから、訂正事項５は願書に添付した明細書、特許請求の範囲又は図面に記載した事項の範囲内においてしたものである。
　
＜訂正事項６＞について 
　請求項１〜３に係る発明が、「遊技機」に関するものであって「遊技演出方法および遊技演出プログラム」に関するものではないことに対応して、訂正事項６は、段落【０１２１】（【産業上の利用可能性】）の記載を明確にしようとするものであり、明瞭でない記載の釈明を目的とするものである。
　また、訂正事項６は、段落【０１２１】の記載を請求項１〜３の記載に整合させるものであり、請求項１〜３の内容を実質的に変更するものとは認められないから、実質上特許請求の範囲を拡張し、又は変更するものではない。
　更に、訂正事項６は、発明の構成として選択的に記載されていた「遊技演出方法および遊技演出プログラム」を削除するものであり、願書に添付した明細書、特許請求の範囲又は図面に記載した事項の範囲内においてしたものである。
　
　以上検討したように、訂正事項１〜６は、いずれも、特許法１２６条１項ただし書３号に掲げる事項を目的とするものであり、同条５項及び６項の規定に適合するものである。
　
３．むすび 
　以上のとおり、本件審判の請求は、特許法１２６条１項ただし書３号に掲げる事項を目的とし、かつ、同条５項及び６項の規定にも適合するものである。 
　よって、結論のとおり審決する。